(57)【要約】      （修正有）【課題】在庫管理面において有利な眼鏡用保持装置を提供する。【解決手段】着用状態で両目の前方に位置して透視可能な透光部を有する防具１の内面側に、２枚の視力矯正用レンズ９，９を有する眼鏡２を、着脱自在に保持するための眼鏡用保持装置であって、眼鏡２を、防具１の透光部４の内面側に磁力により保持するための磁気手段１３を備え、磁気手段１３は、透光部４の外面側に配置される第１部材１４と、眼鏡２に備え、かつ、透光部４の内面側に配置されて第１部材１４と吸引作用を発揮する第２部材１５とを備え、第１部材１４及び第２部材１５のうちの一方が永久磁石から構成され、かつ、他方が永久磁石に吸引される第２の永久磁石又は金属部材から構成されている。【選択図】図３
0003203761.tif 000002
【実用新案登録請求の範囲】
【請求項１】
着用状態で両目の前方に位置して透視可能な透光部を有する防具の内面側に、２枚の視力矯正用レンズを有する眼鏡を、着脱自在に保持するための眼鏡用保持装置であって、前記眼鏡を、前記防具の透光部の内面側に磁力により保持するための磁気手段を備え、前記磁気手段は、前記透光部の外面側に配置される第１部材と、前記眼鏡に備え、かつ、前記透光部の内面側に配置されて前記第１部材と吸引作用を発揮する第２部材とを備え、前記第１部材及び第２部材のうちの一方が永久磁石から構成され、かつ、他方が前記永久磁石に吸引される第２の永久磁石又は金属部材から構成されていることを特徴とする眼鏡用保持装置。
【請求項２】
前記眼鏡は、前記２枚のレンズを保持するフレームを備え、該フレームは、前記２枚の視力矯正用レンズを嵌め込んで固定する左右のリム部と、左右のリム部同士を連結するブリッジとを備え、前記ブリッジに前記第２部材を装着していることを特徴とする請求項１に記載の眼鏡用保持装置。
【請求項３】
前記ブリッジに、前記第２部材を嵌め込むための凹部が形成されていることを特徴とする請求項２に記載の眼鏡用保持装置。
【請求項４】
前記第２部材には、ビスの軸部を挿通可能な貫通孔が形成され、前記ブリッジには、前記第２部材の貫通孔を挿通した前記ビスの軸部の先端を螺合させるための螺子孔が形成されていることを特徴とする請求項２に記載の眼鏡用保持装置。
【請求項５】
着用状態で両目の前方に位置して透視可能な透光部を有する防具の内面側に、２枚の視力矯正用レンズを保持するフレームを有する眼鏡を、着脱自在に保持するための眼鏡用保持装置であって、前記眼鏡のフレームの上端に左右方向に延びる板状部材を備え、前記板状部材に前記防具の内面に吸着して前記眼鏡を固定するための単数又は複数の吸盤を備えていることを特徴とする眼鏡用保持装置。
【請求項６】
着用状態で両目の前方に位置して透視可能な透光部を有し、かつ、左右の側壁面を有する防具の内面側に、２枚の視力矯正用レンズを有する眼鏡を、着脱自在に保持するための眼鏡用保持装置であって、前記眼鏡の上方に、左右方向に伸縮自在で、かつ、伸び側に付勢された伸縮部材を支持させ、前記伸縮部材の左右両端には、前記左右の側壁面に吸着して前記眼鏡を固定するための吸盤を備え、前記伸縮部材が短縮状態から伸長状態となる伸長力により前記左右の吸盤を前記左右の側壁面に吸着させることにより、前記眼鏡を固定するように構成したことを特徴とする眼鏡用保持装置。
【請求項７】
前記眼鏡は、前記２枚のレンズを保持するフレームを備え、該フレームは、前記２枚の視力矯正用レンズを嵌め込んで固定する左右のリム部と、左右のリム部同士を連結するブリッジとを備え、該ブリッジに前記透光部の内面に吸着して前記眼鏡を固定するための第２の吸盤を備えていることを特徴とする請求項６に記載の眼鏡用保持装置。
【請求項８】
前記防具が、スキー用ゴーグル、水中用眼鏡、防塵用眼鏡、溶接作業用眼鏡、防塵マスクである請求項１〜５のうちのいずれか１項に記載の眼鏡用保持装置。
【考案の詳細な説明】
【技術分野】
【０００１】
本考案は、両目を保護するように顔面に装着する防具に、２枚の視力矯正用レンズを有する眼鏡を着脱自在に保持させるための眼鏡用保持装置に関する。
【背景技術】
【０００２】
防具の一例であるゴーグルについて説明する。従来から、２枚の視力矯正用レンズが嵌められた眼鏡を着脱自在に保持することができるように構成されたゴーグルが既に提案されている。このゴーグルは、眼鏡の上部が嵌り込む溝が形成された上部保持部と、眼鏡の下部が嵌り込む溝が形成された下部保持部とを備えて構成されている（例えば、特許文献１参照）。
【先行技術文献】
【特許文献】
【０００３】
【特許文献１】実開平３−６３３２３号公報
【考案の概要】
【考案が解決しようとする課題】
【０００４】
上記構成のゴーグルは、２枚の視力矯正用レンズが嵌められた眼鏡を保持するためにゴーグル自体に改良を加えて構成されたものである。従って、眼鏡を保持する必要がない使用者が使用するための第１のゴーグルと、眼鏡を保持する必要がある使用者が使用するための第２のゴーグルの２種類を用意しなければならず、在庫管理面において不利になるという不都合があった。
【０００５】
そこで、本考案は、かかる事情に鑑みてなされたもので、在庫管理面において有利な眼鏡用保持装置を提供することを課題とする。
【課題を解決するための手段】
【０００６】
本考案に係る眼鏡用保持装置は、着用状態で両目の前方に位置して透視可能な透光部を有する防具の内面側に、２枚の視力矯正用レンズを有する眼鏡を、着脱自在に保持するための眼鏡用保持装置であって、前記眼鏡を、前記防具の透光部の内面側に磁力により保持するための磁気手段を備え、前記磁気手段は、前記透光部の外面側に配置される第１部材と、前記眼鏡に備え、かつ、前記透光部の内面側に配置されて前記第１部材と吸引作用を発揮する第２部材とを備え、前記第１部材及び第２部材のうちの一方が永久磁石から構成され、かつ、他方が前記永久磁石に吸引される第２の永久磁石又は金属部材から構成されていることを特徴としている。
【０００７】
本考案によれば、眼鏡を、防具の透光部の内面側に磁力により保持するための磁気手段を備えているので、防具の内面側に２枚の視力矯正用レンズを有する眼鏡を磁気手段で保持させることができる。つまり、第１部材を透光部の外面側に配置し、透光部の内面側に第２部材を備えた眼鏡を配置すると、第１部材と第２部材とが磁力により吸引される。これによって、防具の透光部を内側の第２部材と外側の第１部材とで挟み込んだ状態で固定保持される。これによって、２枚の視力矯正用レンズを有する眼鏡を防具の内面側に保持することができる。従って、眼鏡を保持する必要がない使用者が使用する防具に、磁気手段を備えるだけで、眼鏡を保持する必要がある使用者が使用する防具を構成することができる。
【０００８】
また、本考案に係る眼鏡用保持装置は、前記眼鏡が、前記２枚のレンズを保持するフレームを備え、該フレームは、前記２枚の視力矯正用レンズを嵌め込んで固定する左右のリム部と、左右のリム部同士を連結するブリッジとを備え、前記ブリッジに前記第２部材を装着していてもよい。
【０００９】
上記のように、眼鏡のブリッジに第２部材が装着されているので、透光部の内面側に眼鏡を配置するだけで、透光部の外面側に配置した第１部材との磁力による吸引力で眼鏡を透光部の内面側に固定保持することができる。しかも、２枚の視力矯正用レンズからの視界が第２部材で遮られることがなく、良好に使用することができる。
【００１０】
また、本考案に係る眼鏡用保持装置は、前記ブリッジに、前記第２部材を嵌め込むための凹部が形成されていてもよい。
【００１１】
上記のように、ブリッジに、第２部材を嵌め込むための凹部が形成されていれば、凹部に第２部材を嵌め込むだけで、第２部材のブリッジへの装着を完了することができる。
【００１２】
また、本考案に係る眼鏡用保持装置は、前記第２部材には、ビスの軸部を挿通可能な貫通孔が形成され、前記ブリッジには、前記第２部材の貫通孔を挿通した前記ビスの軸部の先端を螺合させるための螺子孔が形成されていてもよい。
【００１３】
上記構成によれば、第２部材に形成された貫通孔に、ビスの軸部を挿通させ、挿通させたビスの軸部の先端をブリッジの螺子孔に螺合させることによって、第２部材をブリッジに強固に固定することができる。
【００１４】
また、本考案に係る眼鏡用保持装置は、着用状態で両目の前方に位置して透視可能な透光部を有する防具の内面側に、２枚の視力矯正用レンズを保持するフレームを有する眼鏡を、着脱自在に保持するための眼鏡用保持装置であって、前記眼鏡のフレームの上端に左右方向に延びる板状部材を備え、前記板状部材に前記防具の内面に吸着して前記眼鏡を固定するための単数又は複数の吸盤を備えていることを特徴とする。
【００１５】
上記構成によれば、防具の内面側に、眼鏡を保持させる場合には、板状部材に備えている単数又は複数の吸盤を防具の内面に吸着させることによって眼鏡を防具の内面側に保持させることができる。また、防具の内面側に保持されている眼鏡を取り外す場合には、単数又は複数の吸盤を防具の内面から外すことによって取り外しを行うことができる。この場合も、前記と同様に、眼鏡を保持する必要がない使用者が使用する防具に、眼鏡に備える単数又は複数の吸盤を吸着させるだけで、眼鏡を保持する必要がある使用者が使用する防具を構成することができる。
【００１６】
また、本考案に係る眼鏡用保持装置は、着用状態で両目の前方に位置して透視可能な透光部を有し、かつ、左右の側壁面を有する防具の内面側に、２枚の視力矯正用レンズを有する眼鏡を、着脱自在に保持するための眼鏡用保持装置であって、前記眼鏡の上方に、左右方向に伸縮自在で、かつ、伸び側に付勢された伸縮部材を支持させ、前記伸縮部材の左右両端には、前記左右の側壁面に吸着して前記眼鏡を固定するための吸盤を備え、前記伸縮部材が短縮状態から伸長状態となる伸長力により前記左右の吸盤を前記左右の側壁面に吸着させることにより、前記眼鏡を固定するように構成したことを特徴とする。
【００１７】
上記構成によれば、防具の内面側に、眼鏡を保持させる場合には、短縮状態にした伸縮部材を伸長状態にすることによって発生する伸長力により、伸縮部材の左右両端に備える吸盤を左右の側壁面に押し付けて吸着させることができる。この吸着力により眼鏡を防具の内面側に保持させることができる。また、防具の内面側に保持されている眼鏡を取り外す場合には、左右の側壁面に吸着している左右の吸盤を左右の側壁面から外すことによって取り外しを行うことができる。この場合も、前記と同様に、眼鏡を保持する必要がない使用者が使用する防具に、眼鏡の上方に備える伸縮部材の左右の吸盤を左右の側壁面に吸着させるだけで、眼鏡を保持する必要がある使用者が使用する防具を構成することができる。
【００１８】
また、本考案に係る眼鏡用保持装置は、前記眼鏡が、前記２枚のレンズを保持するフレームを備え、該フレームは、前記２枚の視力矯正用レンズを嵌め込んで固定する左右のリム部と、左右のリム部同士を連結するブリッジとを備え、該ブリッジに前記透光部の内面に吸着して前記眼鏡を固定するための第２の吸盤を備えていることを特徴とする請求項６に記載の眼鏡用保持装置。
【００１９】
上記のように、ブリッジに透光部の内面に吸着して眼鏡を固定するための第２の吸盤を備えているので、透光部の内面に第２の吸盤を吸着させることによって、より強固に眼鏡を防具に保持させることができる。
【００２０】
また、本考案に係る眼鏡用保持装置は、前記防具が、スキー用ゴーグル、水中用眼鏡、防塵用眼鏡、溶接作業用眼鏡、防塵マスクであってもよい。
【考案の効果】
【００２１】
以上の如く、本考案によれば、眼鏡を保持する必要がない使用者が使用する防具に、磁気手段又は吸盤を備えるだけで、眼鏡を保持する必要がある使用者のための防具を構成することができるので、在庫管理面において有利な眼鏡用保持装置を提供することができる。
【図面の簡単な説明】
【００２２】
【図１】本考案に係る眼鏡用保持装置により内面側に眼鏡が保持された溶接作業用眼鏡の正面図である。
【図２】同溶接作業用眼鏡の平面図である。
【図３】同溶接作業用眼鏡の分解斜視図である。
【図４】同溶接作業用眼鏡に保持する眼鏡の別の形態を示す平面図である。
【図５】別の形態の眼鏡を保持する前の溶接作業用眼鏡の斜視図である。
【図６】（ａ）は図５の溶接作業用眼鏡の平面図、（ｂ）は、図６（ａ）におけるＡ−Ａ線断面図である。
【図７】（ａ）は別の形態の眼鏡用保持装置により内面側に眼鏡を保持したスキー用ゴーグルの正面図、（ｂ）は、図７（ａ）におけるＢ−Ｂ線断面図である。
【考案を実施するための形態】
【００２３】
以下、防具の一例である溶接作業用眼鏡１の内面側に眼鏡２を保持させるための眼鏡用保持装置３の一実施形態について、図面に基づいて説明する。
【００２４】
図１〜図３に示すように、溶接作業用眼鏡１は、可視光を透過して透視可能に構成され、かつ、特にガス溶接時に発する赤外線や紫外線を遮光する透光部を構成する横長状の合成樹脂製のレンズ４と、レンズ４の上縁を取り付け支持するための合成樹脂製の支持フレーム５と、支持フレーム５の左右両端から後方に延びる合成樹脂製のテンプル６，６と、テンプル６，６の先端に一体形成された耳掛用のモダン７，７とを備えている。
【００２５】
レンズ４の左右中央部下端部は、上方にＵの字状に切欠かれるとともに、鼻を受けるための鼻受け部８を備えている。また、テンプル６，６は、支持フレーム５の左右両端に蝶番を介して折り畳み可能に連結されている。
【００２６】
眼鏡２は、前記２枚の視力矯正用レンズ９，９を保持するフレームを備え、該フレームは、視力矯正用レンズ９，９を嵌めて固定する左右のリム１０，１０と、左右のリム１０，１０の内側同士を左右方向で連結するブリッジ１１と、左右のリム１０，１０の左右両端に備える智１２，１２とを備えている。リム１０，１０とブリッジ１１とが合成樹脂材料で一体形成されている。
【００２７】
眼鏡用保持装置３は、眼鏡２を着脱自在に保持するように構成されている。具体的には、眼鏡用保持装置３は、眼鏡２を、溶接作業用眼鏡１の透光部であるレンズ４の内面側に磁力により保持するための磁気手段１３から構成されている。
【００２８】
磁気手段１３は、レンズ４の外面側に配置される第１部材１４と、眼鏡２に備え、かつ、レンズ４の内面側に配置されて第１部材１４と吸引作用を発揮する第２部材１５とを備えている。
【００２９】
第１部材１４が、板状で円形の永久磁石から構成され、かつ、第２部材１５が、前記永久磁石に吸引される板状で円形の第２の永久磁石から構成されている。第２の永久磁石１５は、前記ブリッジ１１に装着されている。ブリッジ１１は、左右のリム１０，１０の内側同士を左右方向で連結する連結部１１Ａと、連結部１１Ａの前方に突出するとともに上方から第２の永久磁石１５を差し込んで保持するための凹部１１ｂが形成された保持部１１Ｂとを備えている。
【００３０】
前記のように構成された眼鏡用保持装置３で眼鏡２をレンズ４の内面側に保持する手順について説明する。図３に示すように、まず、永久磁石からなる第１部材１４を片手で持ち、レンズ４の外面の左右中央部に当接した状態で保持させておく。この状態において、もう一方の片手で永久磁石からなる第２部材１５が保持された眼鏡２を持ち、第１部材１４の直ぐ後ろに第２部材１５が重なるようにレンズ４の外面に眼鏡２を配置する。これによって、第１部材１４と第２部材１５とが磁力により吸引されて、レンズ４を内側の第２部材１５と外側の第１部材１４とで挟み込んだ状態で固定保持される。これによって、２枚の視力矯正用レンズ９，９を有する眼鏡２をレンズ４の内面側に保持することができる。従って、眼鏡２を保持する必要がない使用者が使用する溶接作業用眼鏡１に、磁気手段１３を備えるだけで、眼鏡２を保持する必要がある使用者が使用する溶接作業用眼鏡１を構成することができる。また、溶接作業用眼鏡１から眼鏡２を取り外すことによって、眼鏡２の無い溶接作業用眼鏡１に直ちに戻すことができる。また、眼鏡２のブリッジ１１に第２部材１５が装着されているので、２枚の視力矯正用レンズ９，９からの視界が第２部材１５で遮られることがなく、良好に使用することができる。
【００３１】
尚、本考案は、前記実施形態に限定されるものではなく、本考案の要旨を逸脱しない範囲で種々の変更が可能である。
【００３２】
また、前記実施形態では、永久磁石でなる第２部材１５をブリッジ１１に嵌め込んで固定したが、図４に示すように、第２部材１５をブリッジ１１にビス１６により強固に締付固定してもよい。この場合、第２部材１５の中心部に、ビス１６の軸部１６Ａを挿通可能な貫通孔１５Ａを形成する一方、ブリッジ１１に、第２部材１５の貫通孔１５Ａを挿通したビス１６の軸部１６Ａの先端を螺合させるための螺子孔１１Ｎを形成して、実施することになる。また、眼鏡２を構成するブリッジ１１を、永久磁石で構成される第２部材１５の磁力により吸引可能な金属部材から構成して、ブリッジ１１に第２部材１５をそれから発生する磁力により固定する構成であってもよい。
【００３３】
また、前記実施形態では、第１部材１４及び第２部材１５を磁力により互いに吸引する永久磁石から構成したが、第１部材１４及び第２部材１５のうちの一方を永久磁石に構成し、他方を前記永久磁石で吸引可能な金属部材で構成してもよい。
【００３４】
また、前記実施形態では、磁気手段１３により眼鏡２を防具の透光部の内面側に磁力により保持する構成を示したが、図５及び図６（ａ），（ｂ）に示す構成であってもよい。つまり、眼鏡用保持装置３は、眼鏡２のフレームを構成する左右のリム１０，１０の上端に左右方向に延びる左右に長い寸法を有する長方形状の板状部材１７と、この板状部材１７に防具１のレンズ４の内面に吸着して眼鏡２を固定するための複数（図では４個であるが、２個、３個、５個以上でもよい）の吸盤１８とを備えて、構成されている。眼鏡２の左右のリム１０，１０及びブリッジ１１並びに板状部材１７が合成樹脂で一体形成されている。板状部材１７は、リム１０，１０の厚みよりも薄く形成され、可撓性を有している。従って、防具１のレンズ４の湾曲面に沿うように湾曲可能になっている。板状部材１７は、眼鏡２の左右方向の寸法とほぼ同一の長さになっているが、眼鏡２の左右方向の寸法よりも長くても短くてもよい。吸盤１８は、弾性変形自在なゴム等から構成され、円弧状の吸着面を備える吸着部１８Ａと、吸着部１８Ａの吸着面とは反対側から後方へ延びる軸部１８Ｂと、軸部１８Ｂの後端に軸部１８Ｂよりも大径に形成された抜止部１８Ｃとを備えている。また、板状部材１７の左右方向一端から他端にかけて間隔を置いて４つの貫通孔１７Ａが形成され、これら貫通孔１７Ａに吸盤１８の抜止部１８Ｃから押し込み、抜止部１８Ｃが板状部材１７を貫通することによって、吸盤１８を板状部材１７に取り付けることができる。尚、吸盤１８を板状部材１７に取り付ける手段は、板状部材１７の貫通孔１７Ａに吸盤１８の抜止部１８Ｃを挿入する他、接着剤を用いて取り付けるか、ねじ込みによって取り付けてもよい。また、板状部材１７をリム１０，１０とは別体に形成し、その別体形成した板状部材１７をリム１０，１０に接着剤や溶着により取り付けてもよい。
【００３５】
上記構成の眼鏡２を防具１の内面側に保持させる場合には、板状部材１７に備えている複数（単数でもよい）の吸盤１８を防具１のレンズ４の内面に吸着させることによって眼鏡２を防具１のレンズ４の内面側に保持させることができる。また、防具１のレンズ４の内面側に保持されている眼鏡２を取り外す場合には、単数又は複数の吸盤１８を防具１のレンズ４の内面から外すことによって取り外しを行うことができる。この場合も、眼鏡２を保持する必要がない使用者が使用する防具１に、眼鏡２に備える単数又は複数の吸盤１８を吸着させるだけで、眼鏡２を保持する必要がある使用者が使用する防具１を構成することができる。
【００３６】
また、前記眼鏡用保持装置３を、図７（ａ），（ｂ），（ｃ）に示す構成であってもよい。この眼鏡用保持装置３は、着用状態で両目の前方に位置して透視可能な合成樹脂製の透光部４を有し、かつ、左右の側壁面４Ａ，４Ｂを有するスキー用ゴーグル（防具）１９の内面側に、２枚の視力矯正用レンズ９，９を有する眼鏡２を、着脱自在に保持する装置である。前記透光部４の左右両端から後方へ延びており、前記左右の側壁面４Ａ，４Ｂを構成している。前記眼鏡２の上方に、左右方向に伸縮自在で、かつ、伸び側に付勢された伸縮部材２０を左右一対の支持部２１，２１を介して支持させ、伸縮部材２０の左右両端には、左右の側壁面４Ａ，４Ｂに吸着して眼鏡２を固定するための吸盤２２を備え、伸縮部材２０が短縮状態から伸長状態となる伸長力により左右の吸盤２２，２２を左右の側壁面４Ａ，４Ｂに吸着させることにより、眼鏡２を固定するように構成している。各支持部２１は、リム１０に固定される（又は合成樹脂により一体形成してもよい）固定部２１Ａと、伸縮部材２０を抱き込んで固定すべく固定部２１Ａから略Ｃ字状に延びる抱き込み部２１Ｂと、抱き込み部２１Ｂへ伸縮部材２０を挿入すべく抱き込み部２１Ｂへの開口を広げるための操作部２１Ｃとを備えている。ここでは、操作部２１Ｃを上方へ持ち上げて伸縮部材２０を後方から抱き込み部２１Ｂへ抱き込ませることによって、伸縮部材２０の装着を行うようにしているが、支持部２１，２１を円筒状に構成して、伸縮部材２０を左右方向から差し込んで装着してもよい。また、眼鏡２のブリッジ１１に透光部４の内面に吸着して眼鏡２を固定するための第２の吸盤２３を備えている。この第２の吸盤２３は省略してもよい。伸縮部材２０は、固定側の円筒状の第１部材２０Ａと、この第１部材２０Ａに対して出入り自在な断面形状が円形で棒状の第２部材２０Ｂと、第２部材２０Ｂを伸長（突出）側に付勢すべく第１部材２０Ａ内に備えたコイルスプリング（図示せず）とを備えている。
【００３７】
上記構成の眼鏡２を、防具１９の内面側に保持させる場合には、短縮状態にした伸縮部材２０を伸長状態にすることによって発生する伸長力により、伸縮部材２０の左右両端に備える吸盤２２，２２を左右の側壁面４Ａ，４Ｂに押し付けて吸着させることができる。この吸着力により眼鏡２を防具１９の内面側に保持させることができる。また、防具１９の内面側に保持されている眼鏡２を取り外す場合には、左右の側壁面４Ａ，４Ｂに吸着している左右の吸盤２２，２２を左右の側壁面４Ａ，４Ｂから外すことによって取り外しを行うことができる。この場合も、前記と同様に、眼鏡２を保持する必要がない使用者が使用する防具１９に、眼鏡２の上方に備える伸縮部材２０の左右の吸盤２２，２２を左右の側壁面４Ａ，４Ｂに吸着させるだけで、眼鏡２を保持する必要がある使用者が使用する防具１９を構成することができる。しかも、ブリッジ１１に透光部４の内面に吸着して眼鏡２を固定するための第２の吸盤２３を備えているので、透光部４の内面に第２の吸盤２３を吸着させることによって、より強固に眼鏡２を防具１９に保持させることができる。
【００３８】
前記実施形態では、防具として溶接作業用眼鏡１を示したが、例えばスキー場で使用するスキー用ゴーグル、海中や水中に潜る際に使用する水中用眼鏡、両目を覆い隠すことができる防塵用眼鏡、顔全体を覆うことができる防塵マスクであってもよい。これらゴーグル、眼鏡、マスクの透視可能な透光部の内面側に、視力矯正用レンズ９，９を有する眼鏡２を、眼鏡用保持装置３で着脱自在に保持させることになる。
【符号の説明】
【００３９】
１…溶接作業用眼鏡（防具）、２…眼鏡、３…眼鏡用保持装置、４…レンズ（透光部）、４Ａ，４Ｂ…側壁面、５…支持フレーム、６…テンプル、７…モダン、８…鼻受け部、９…視力矯正用レンズ、１０…リム、１１…ブリッジ、１１Ａ…連結部、１１Ｂ…保持部、１１Ｎ…螺子孔、１１ｂ…凹部、１２…智、１３…磁気手段、１４…第１部材（永久磁石）、１５…第２部材（第２の永久磁石）、１５Ａ…貫通孔、１６…ビス、１６Ａ…軸部、１７…板状部材、１７Ａ…貫通孔、１８…吸盤、１８Ａ…吸着部、１８Ｂ…軸部、１８Ｃ…抜止部、１９…スキー用ゴーグル、２０…伸縮部材、２０Ａ…第１部材、２０Ｂ…第２部材、２１…支持部、２１Ａ…固定部、２１Ｂ…抱き込み部、２１Ｃ…操作部、２２，２３…吸盤
【図１】
0003203761.tif 000003
【図２】
0003203761.tif 000004
【図３】
0003203761.tif 000005
【図４】
0003203761.tif 000006
【図５】
0003203761.tif 000007
【図６】
0003203761.tif 000008
【図７】
0003203761.tif 000009